(57)【特許請求の範囲】
【請求項１】
内部に商品陳列部を有し、正面に開口部を有するショーケース本体と、
前記ショーケース本体の内周に沿って形成され、正面側上部に下向きに開口する吹出口を有して正面側下部に上向きに開口する吸込口を有する通風路と、
前記通風路内に配置され、この通風路内に前記吸込口から前記吹出口に向かう空気の流れを発生させるファンと、
前記通風路内に配置され、この通風路内を流れる空気を冷却する冷却器と、
前記開口部を開閉する位置に配置され、下端部が水平方向の軸心を有する巻取り軸に巻き取られ、上端部が上下方向にスライド可能な巻取り方式の風防シートと、
ショーケースへの買物客の接近状況、温度や湿度等の店内環境、店内の繁閑状況の何れかを検出する検出部と、
前記検出部の検出結果に基づいて前記風防シートを上下方向にスライドさせる駆動部と、
を有し、
前記風防シートはその上端部を上方にスライドさせた任意の位置で保持可能であり、スライドして保持された前記風防シートにより前記開口部が閉止され或いは前記開口部の下端位置が前記商品陳列部内の商品を前記開口部から取り出し可能な範囲内で上下方向に変更されることを特徴とするショーケース。
【請求項２】
前記ショーケース本体の上部に配置される前記駆動部と、
前記ショーケース本体に設けられ、上下方向に延びる左右一対のガイドレールと、
前記ガイドレール内に上下方向スライド可能に配置され、上端部が前記駆動部に連結され、下端部が前記風防シートの両端側上部に連結されるワイヤと、
を有することを特徴とする請求項１記載のショーケース。
【請求項３】
複数のショーケースが並設されている場合、前記駆動部は、各ショーケースごとに一つ設けられ、又は、複数のショーケースに対して一つ設けられていることを特徴とする請求項２記載のショーケース。  
【請求項４】
前記吸込口の上部に設けられる筒状の回転式フィルタと、
前記巻取り軸の回転に伴って前記フィルタが回転するように前記巻取り軸と前記フィルタとを連結する連結機構と、
前記回転式フィルタの外周面に当接するブラシと、
を有することを特徴とする請求項１ないし３のいずれか一項に記載のショーケース。
【請求項５】
前記ファンによる送風量は可変可能であり、前記風防シートの上端部が高い位置に位置する場合には送風量を少なくすることを特徴とする請求項１ないし４のいずれか一項に記載のショーケース。
【発明の詳細な説明】
【技術分野】
【０００１】
本発明は、冷気を循環させることにより商品陳列室内の商品を冷蔵、冷凍するショーケースに関する。
【背景技術】
【０００２】
従来、スーパーマーケットやコンビニエンスストア等の店舗では、冷気を循環させることにより商品陳列室内の商品を冷蔵、冷凍するショーケースが使用されている。このようなショーケースにおいては、冷気が商品陳列室内から漏れ出すことを抑制することにより、冷気を生成するために要する消費エネルギーを低減させることが望ましい。また、店舗内におけるコールドアイル（冷気溜まり）の発生を防止することが望ましい。
【０００３】
商品陳列室内からの冷気の漏れ出しを抑制するようにしたショーケースとしては、下記特許文献１に記載されたものが知られている。特許文献１に記載されたショーケースでは、商品陳列室内から商品を取り出すための開口部の下側に、板状の風防（フロントガラス）が設けられている。
【先行技術文献】
【特許文献】
【０００４】
【特許文献１】特開２０１２-２０００１号公報
【発明の概要】
【発明が解決しようとする課題】
【０００５】
しかしながら、特許文献１に記載されたショーケースにおいては、風防の素材がガラスであって位置固定して設けられており、ショーケースへの買物客の接近状況に応じて高さを適宜調節することはできない。
【０００６】
商品陳列室内からの冷気の漏れ出しを抑制する効果を高めるためには、風防の高さを高くすることが望ましい。しかし、風防の高さを高くすると、商品陳列室内からの商品の取出し性能が低下するという問題がある。また、風防が高いと、買物客が持っている買物籠が風防に当たって風防が破損しやすくなるという問題がある。
【０００７】
本発明はこのような課題を解決するためになされたもので、その目的は、ショーケース内を循環する冷気が商品陳列室内から漏れ出すことを抑制し、冷気を生成するために要する消費エネルギーの低減を図ることである。また、店舗内におけるコールドアイルの発生を防止することである。
【課題を解決するための手段】
【０００８】
本発明に係るショーケースは、内部に商品陳列部を有し、正面に開口部を有するショーケース本体と、前記ショーケース本体の内周に沿って形成され、正面側上部に下向きに開口する吹出口を有して正面側下部に上向きに開口する吸込口を有する通風路と、前記通風路内に配置され、この通風路内に前記吸込口から前記吹出口に向かう空気の流れを発生させるファンと、前記通風路内に配置され、この通風路内を流れる空気を冷却する冷却器と、  前記開口部を開閉する位置に配置され、下端部が水平方向の軸心を有する巻取り軸に巻き取られ、上端部が上下方向にスライド可能な巻取り方式の風防シートと、ショーケースへの買物客の接近状況、温度や湿度等の店内環境、店内の繁閑状況の何れかを検出する検出部と、前記検出部の検出結果に基づいて前記風防シートを上下方向にスライドさせる駆動部と、を有し、前記風防シートはその上端部を上方にスライドさせた任意の位置で保持可能であり、スライドして保持された前記風防シートにより前記開口部が閉止され或いは前記開口部の下端位置が前記商品陳列部内の商品を前記開口部から取り出し可能な範囲内で上下方向に変更されることを特徴とする。
【０００９】
また、前述のショーケースにおいて、前記ショーケース本体の上部に配置される前記駆動部と、前記ショーケース本体に設けられ、上下方向に延びる左右一対のガイドレールと、前記ガイドレール内に上下方向スライド可能に配置され、上端部が前記駆動部に連結され、下端部が前記風防シートの両端側上部に連結されるワイヤと、を有することが望ましい。
【００１０】
また、前述のショーケースにおいて、複数のショーケースが並設されている場合、前記駆動部は、各ショーケースごとに一つ設けられ、又は、複数のショーケースに対して一つ設けられていることが望ましい。  
【００１１】
また、前述のショーケースにおいて、前記吸込口の上部に設けられる筒状の回転式フィルタと、前記巻取り軸の回転に伴って前記フィルタが回転するように前記巻取り軸と前記フィルタとを連結する連結機構と、前記回転式フィルタの外周面に当接するブラシと、を有することが望ましい。
【００１２】
また、前述のショーケースにおいて、前記ファンによる送風量は可変可能であり、前記風防シートの上端部が高い位置に位置する場合には前記ファンによる送風量を少なくすることが望ましい。
【発明の効果】
【００１３】
本発明に係るショーケースは、開口部を開閉する位置に巻取り方式の風防シートが配置されている。そして、この風防シートは、下端部が水平方向の軸心を有する巻取り軸に巻き取られ、この巻き取りに応じて上端部が上下方向にスライド可能に設けられている。そして、ショーケースへの買物客の接近状況、店内環境、店内の繁閑状況の何れかが検出部により検出されると、その検出結果に基づいて駆動部が駆動される。駆動部が駆動されて風防シートが巻取り軸に巻き取られることにより、風防シートの上端部が下方へスライドし、開口部の下端位置が低くなるとともに開口部の上下方向の開口幅が広くなる。これにより、買物客は商品陳列室内の商品を開口部から取り出し易くなる。一方、駆動部が駆動されて風防シートが巻取り軸から引き出されることにより、風防シートの上端部が上方へスライドし、開口部の下端位置が高くなるとともに開口部の上下方向の開口幅が狭くなる。これにより、商品陳列室内の冷気が開口部から漏れ出すことを抑制できる。そして、冷気を生成するために要する消費エネルギーの低減を図ることができ、また、漏れ出した冷気により店舗内にコールドアイルが発生することを防止できる。
【００１４】
また、風防シートを上下方向にスライドさせる場合には、駆動部を駆動させ、ワイヤを上下方向にスライドさせることにより容易に行うことができる。
【００１５】
また、複数のショーケースが並設されている場合においては、駆動部を複数のショーケースごとに一つ設けるようにしてもよく、風防シートを上下方向にスライドさせるために必要となる駆動部の消費エネルギーを低減することができる。
【００１６】
また、吸込口から吸い込まれる空気中に含まれている細かい塵埃は、回転式フィルタに付着する。そして、風防シートが上下方向へスライドすることにより巻取り軸が回転すると、巻取り軸と連結機構を介して連結されている回転式フィルタが回転する。回転式フィルタが回転することにより、回転式フィルタに付着している塵埃がブラシにより除去される。除去された塵埃は塊りとなって落下し、ドレン孔から流出し、又は、ドレン孔を覆うドレンスクリーンに引っ掛かって清掃時に除去される。これにより、空気中の塵埃が吸込口に詰まることや吹出口に詰まることを防止できる。
【００１７】
また、風防シートの上端部が高い位置に位置している場合には、吹出口から風防シートの上端部までの距離が短くなっている。これにより、ファンによる冷気の送風量を少なくしても、吹出口から吹出す冷気のエアカーテンは崩れることなく風防シートの上端部まで到達する。そして、商品陳列室内の冷却性能が維持され、ファンを駆動するエネルギーを低減させることができる。
【図面の簡単な説明】
【００１８】
【図１】第一の実施形態のショーケースの全体構造を示す断面側面図である。
【図２】ショーケースの全体構造を示す正面図である。
【図３】風防シートを上下方向にスライドさせた様々な場合のショーケース全体を示す斜視図である。
【図４】巻取り軸と回転式のフィルタと連結機構とを拡大して示す断面側面図である。
【図５】第二の実施形態のショーケースの全体構成を示す断面側面図である。
【発明を実施するための形態】
【００１９】
本発明の第一の実施形態について、図１ないし図４に基いて説明する。図１は、スーパーマーケットやコンビニエンスストア等の店舗内に設置されるショーケース１を示す断面側面図である。このショーケース１は、断面形状コの字型に形成されたショーケース本体２を有している。ショーケース本体２の内部には、商品陳列室３が設けられている。ショーケース本体２の正面には、開口部４が設けられている。また、商品陳列室３内には、上下方向に沿って複数段の商品陳列棚５が設けられている。
【００２０】
ショーケース本体２内には、その内周面に沿って通風路６が形成されている。通風路６の一端には、ショーケース本体２の正面側上部に位置して下向きに開口する吹出口７が設けられている。通風路６の他端には、ショーケース本体２の正面側下部に位置して上向きに開口する吸込口８が設けられている。通風路６内には、吸込口８から空気を吸込み、その空気が吹出口７から吹出すように空気の流れを発生させるファン９が配置されている。さらに、通風路６内には、通風路６内を流れる空気を冷却する冷却器１０が配置されている。
また、ショーケース本体２には、開口部４を開閉する位置に巻取り方式の風防シート１１が設けられている。風防シート１１の下端部は、水平方向の軸心を有して軸心回りに回転可能な巻取り軸１２に巻き取られている。風防シート１１の上端部は、上下方向にスライド可能に設けられている。風防シート１１の上端部が上下方向にスライドすることにより、開口部４の下端位置が上下方向に移動するとともに、開口部４の上下方向の開口幅が変化するようになっている。
【００２１】
巻取り軸１２の内部には、巻取りバネ１３が設けられている。この巻取りバネ１３は、風防シート１１の上端部が上方へスライドする方向に巻取り軸１２が回転した場合、縮む方向へ巻き取られる。そして、巻き取られた巻取りバネ１３は、巻取り軸１２を逆向きに回転させる向きに付勢する。
【００２２】
ショーケース本体２の上部には、駆動部であるモータ１４が配置されている。また、ショーケース１の正面側には、ショーケース１への買物客の接近状況を検出する検出部である人感センサ（図示せず）が配置されている。モータ１４は、人感センサの検出結果に基づいて駆動され、その駆動により風防シート１１が上下方向にスライドする。ショーケース本体２の左右両側には、図２に示すように、上下方向に延びる一対のガイドレール１５が設けられている。これらのガイドレール１５内には、上下方向スライド可能にワイヤ１６が配置されている。ワイヤ１６の上端部はモータ１４の回転軸１４ａに連結されたワイヤリール１７に巻き取られている。ワイヤ１６の下端部は、風防シート１１の両端側上部に連結されている。
【００２３】
なお、本実施形態では、検出部としてショーケース１への買物客の接近状況を検出する人感センサを用いている。しかし、この検出部としては、温度や湿度等の店内環境を検出するセンサ、店内の繁閑状況を検出するセンサを用い、そのセンサの検出結果に応じてモータ１４を駆動させるようにしてもよい。
【００２４】
吸込口８の下部には、吸込口８の横幅方向と略同じ長さ寸法を有する筒状の回転式フィルタ１８が設けられている。この回転式フィルタ１８はメッシュを円筒状に丸めたものであり、水平方向を向けた軸心回りに回転可能に設けられている。図４に示すように、巻取り軸１２の両端にはプーリ１９が連結され、回転式フィルタ１８の両端にはプーリ２０が連結されている。これらのプーリ１９、２０の間にはベルト２１が巻回され、これらのプーリ１９、２０とベルト２１とにより、巻取り軸１２の回転に伴って回転式フィルタ１８を回転させる連結機構２２が構成されている。
【００２５】
回転式フィルタ１８の下方には、ブラシ取付台２３に取付けられたブラシ２４が配置されている。ブラシ２４の先端部は回転式フィルタ１８の外周面に当接されている。
【００２６】
通風路６の底部には、ショーケース１内で生じた水や洗浄水を排水するためのドレン孔２５が設けられている。ドレン孔２５の上端部には、異物がドレン孔２５内に入り込むことを防止するためのドレンスクリーン２６が着脱可能に取付けられている。
【００２７】
なお、本実施の形態では、プーリ１９、２０とベルト２１とを巻取り軸１２の左右両端側に設けた場合を例に挙げて説明したが、これらのプーリ１９、２０とベルト２１とは、巻取り軸１２の片側にのみ設けてもよい。
【００２８】
ファン９による送風量は可変可能であり、風防シート１１の上端部が高い位置に位置する場合には、送風量を少なくするように構成されている。送風量を少なくする具体的な方法としては、ファン９の回転数を下げることや、ファン９が複数設けられている場合には駆動させるファン９の数を減らすことが挙げられる。また、送風量を少なくしている場合に商品陳列室３内の温度が上昇したときは、送風量を元に戻して商品陳列室３内の温度を下げるようにすることが望ましい。
【００２９】
なお、本実施形態のショーケース１では、風防シート１１をスライドさせるモータ１４がショーケース１に設けられている場合を例に挙げて説明している。しかし、複数のショーケース１が並設されている場合には、複数のショーケース１ごとに１つのモータ１４を設けてもよい。そして、複数のショーケース１の風防シート１１を一つのモータ１４でスライドさせることにより、風防シート１１をスライドさせるために必要となるモータ１４の消費エネルギーを減らすことができる。
【００３０】
このような構成において、このショーケース１では、ファン９が駆動されることにより吸込口８から空気が吸い込まれ、吸い込まれた空気は通風路６内を図１の矢印で示す方向に流れ、吹出口７から下向きに吹出す。なお、吹出口７から吹出した空気は、再び吸込口８から吸い込まれる。そして、通風路６内を流れる空気は、冷却器１０により冷却されて冷気となり、この冷気によって商品陳列室３内の商品が冷却される。
【００３１】
次に、このショーケース１では、必要に応じて風防シート１１を上下方向にスライドさせることができる。風防シート１１のスライドは、モータ１４を駆動させる（オン・オフさせる）ことにより行われる。
【００３２】
モータ１４がオンされて回転駆動されると、ワイヤ１６は上向きに引っ張られてワイヤリール１７に巻き取られる。これにより、風防シート１１が上向きにスライドする。風防シート１１が上向きにスライドする場合、巻取り軸１２は風防シート１１が引き出される方向に回転する。そして、風防シート１１が上向きにスライドすることにより、開口部４の下端位置（風防シート１１の上端部）が次第に高くなるとともに開口部４の上下方向の開口幅が次第に狭くなる。風防シート１１が上向きにスライドする方向へ巻取り軸１２が回転すると、その回転に伴って巻取りバネ１３が巻かれる。そして、モータ１４をオフにして回転を停止させ、その回転停止状態でモータ１４をロックすると、風防シート１１はスライドした位置で保持される。
【００３３】
その後、モータ１４のロック状態を解除すると、巻かれていた巻取りバネ１３の力が解放され、巻取り軸１２が逆向きに回転する。巻取り軸１２が逆向きに回転することにより、風防シート１１は巻取り軸１２に巻き取られる。風防シート１１が巻取り軸１２に巻き取られることにより、風防シート１１の上端部が下方にスライドし、開口部４の下端位置（風防シート１１の上端部）が次第に低くなるとともに開口部４の上下方向の開口幅が広くなる。
【００３４】
なお、本実施の形態では、風防シート１１を上方へスライドさせる場合にはモータ１４の力で行い、風防シート１１を下方へスライドさせる場合には戻しバネ１３の力で行うようにしている。しかし、戻しバネ１３に代えて他のモータを用いてもよい。さらに、風防シート１１の上下方向へのスライドを１つのモータを用いて行い、そのモータを正転又は逆転させるようにしてもよい。
【００３５】
図３（ａ）は、風防シート１１の上端部が最も下方位置にスライドしている状態を示している。この状態は、ショーケース１の前方に買物客が接近している場合である。この状態では、買物客が商品陳列室３内から商品を取り出す際に風防シート１１は邪魔にならず、買物客は商品陳列室３内から容易に商品を取り出すことができる。また、買物客が持っている買物籠が風防シート１１に当たることを防止できる。
【００３６】
図３（ｂ）は、図３（ａ）の状態からモータ１４を駆動させ、風防シート１１を上向きにスライドさせた状態を示している。
【００３７】
図３（ｃ）は、風防シート１１を図３（ｂ）に示す位置よりも上方にスライドさせた状態を示している。開口部４の下端位置は、図３（ｃ）の場合は図３（ｂ）の場合より高くなるとともに、開口部４の上下方向の開口幅は、図３（ｃ）の場合は図３（ｂ）の場合より狭くなっている。なお、図３（ａ）に示す状態から図３（ｂ）又は図３（ｃ）に示す状態への風防シート１１の切換えは、ショーケース１の前方に買物客が近接していない状況を人感センサが検出した場合、その検出結果に基づいてモータ１４が駆動されることにより行われる。
【００３８】
風防シート１１が図３（ｂ）又は図３（ｃ）に示すように上方位置にスライドすることにより、開口部４の下端位置が高くなるとともに開口部４の上下方向の開口幅が狭くなる。これにより、商品陳列室３内の冷気が開口部４から漏れ出すことが抑制される。そして、冷気を生成するために要する消費エネルギーの低減を図ることができる。さらに、漏れ出した冷気が店舗内の床面上に溜まるコールドアイルの発生を防止することができる。
【００３９】
風防シート１１を図３（ｂ）に示す位置にスライドさせるか、又は、図３（ｃ）に示す位置にスライドさせるかは、季節や商品陳列室３内に陳列されている商品の種類や数量等によって適宜設定することができる。例えば、冷気の漏れ出しをより少なくして商品陳列室３内の保冷効果を高めたい場合には、図３（ｃ）に示す高い位置まで風防シート１１をスライドさせる。
【００４０】
一方、図３（ｂ）又は図３（ｃ）に示す状態から図３（ａ）に示す状態への切換えは、人感センサがショーケース１の前方に買物客が接近している状況を検出した場合に行われる。人感センサの検出結果に基づいてモータ１４のロック状態が解除され、ロック状態の解除により巻取りバネ１３の力で巻取り軸１２が回転される。この回転により、風防シート１１が巻取り軸１２に巻き取られ、下方へスライドする。
【００４１】
図３（ｄ）は、風防シート１１を最も高い位置までスライドさせて開口部４を閉止した状態を示している。この風防シート１１は、いわゆるナイトカバーとして使用されており、夜間における商品陳列室３内の保冷状体を長時間に亘って維持することができる。
【００４２】
風防シート１１が上下方向にスライドすることに伴って上下方向にスライドするワイヤ１６は、ガイドレール１５内に配置されている。このため、スライドするワイヤ１６がショーケース１の周囲に位置する様々な部材、例えば、買物客が持っている買物籠やバッグ等に当たることが防止される。
【００４３】
風防シート１１が上下方向へスライドする場合、それに伴って巻取り軸１２が回転する。そして、巻取り軸１２の回転に伴い、巻取り軸１２と連結機構２２を介して連結されている回転式フィルタ１８が回転する。回転式フィルタ１８が回転することにより、回転式フィルタ１８に付着している塵埃がブラシ２４により除去される。回転式フィルタ１８から除去された塵埃は、塊りとなって通風路６の底面上に落下し、ドレン孔２５から水と共に流出し、又は、ドレン孔２５を覆うドレンスクリーン２６に引っ掛かって清掃時に除去される。これにより、空気中の塵埃が吸込口８に詰まることや吹出口７に詰まることが防止される。
【００４４】
また、風防シート１１の上端部が高い位置に位置している場合には、ファン９の駆動による冷気の送風量を少なくすることができる。これは、吹出口７から風防シート１１の上端部までの距離が短くなり、吹出口７から吹出す冷気の送風量が少なくても、冷気のエアカーテンが崩れることなく冷気が風防シート１１の上端部まで到達するからである。そして、冷気の送風量を少なくしても商品陳列室３内の冷却性能を維持することがてき、ファン９を駆動するための消費エネルギーが低減される。
【００４５】
本発明の第二の実施形態を図５に基いて説明する。なお、第一の実施形態で説明した構成と同じ構成は同じ符号で示し、説明は省略する。図５は、ショーケースの一例であるウォークインショーケース２７を示している。このウォークインショーケース２７は、矩形状のショーケース本体２８を有し、ショーケース本体２８の正面側には商品陳列部である陳列用ラック２９が配置されている。ショーケース本体２８の背面側には、保管用ラック３０が設けられている。
【００４６】
陳列用ラック２９には上下方向に沿って複数段の棚板３１が設けられ、これらの棚板３１上に販売する商品が陳列されている。保管用ラック３０には、棚板３１上に陳列する商品が保管されていてる。陳列用ラック２９と保管用ラック３０との間には、保管用ラック３０の商品を棚板３１上に陳列する作業を行うための作業スペース３２が設けられている。なお、陳列用ラック２９の背面側には、背面側ドア３３が開閉可能に設けられている。この背面側ドア３３は、通常時には閉止されており、棚板３１上に商品を陳列する場合に開放される。
【００４７】
ショーケース本体２８の正面側には、買物客が棚板３１上から商品を取り出すための開口部３４が形成されている。
【００４８】
ショーケース本体２８内には、このショーケース本体２８内で空気が循環する通風路３５が形成されている。なお、作業スペース３２はこの通風路３５の一部とされている。通風路３５の一端には、ショーケース本体２８の正面側上部に位置して下向きに開口する吹出口３６が設けられている。通風路３５の他端には、ショーケース本体２８の正面側下部に位置して上向きに開口する吸込口３７が設けられている。通風路３５内には、吸込口３７から空気を吸込み、その空気が吹出口３６から吹出すように空気の流れを発生させるファン３８ａ、３８ｂが配置されている。さらに、通風路３５内には、通風路３５内を流れる空気を冷却する冷却器３９が配置されている。
また、ショーケース本体２８には、開口部３４を開閉する位置に巻取り方式の風防シート１１が設けられている。この風防シート１１は、開口部３４の横幅寸法より僅かに大きな横幅寸法を有している。風防シート１１の下端部は、水平方向の軸心を有して軸心回りに回転可能な巻取り軸１２に巻き取られている。風防シート１１の上端部は、上下方向にスライド可能に設けられている。風防シート１１の上端部が上下方向にスライドすることにより、開口部３４の下端位置が上下方向に移動するとともに、開口部３４の上下方向の開口幅が変化するようになっている。
【００４９】
ショーケース本体２８の上部には、モータ１４が配置されている。このモータ１４はワイヤ１６を介して風防シート１１の上端部に連結されている。そして、モータ１４が駆動されることにより、風防シート１１が上下方向にスライドし、開口部３４の上下方向の開口幅が変化する。
【００５０】
このような構成において、このウォークインショーケース２７では、買物客がショーケース本体２８に接近しているか否か、店内環境や店内の繁閑状況等に応じてモータ１４を駆動させ、風防シート１１を上下方向にスライドさせることができる。そして、風防シート１１を上方へスライさせることにより、ショーケース本体２８外への冷気の漏れ出しを抑制することができる。この抑制により、冷気を生成するために要する消費エネルギーの低減を図ることができる。さらに、漏れ出した冷気が店舗内の床面上に溜まるコールドアイルの発生を防止することができる。一方、風防シート１１を下方へスライドさせることにより、買物客が棚板３１上の商品を容易に取り出すことができるようになる。
【符号の説明】
【００５１】
１    ショーケース
２    ショーケース本体
３    商品陳列室（商品陳列部）
４    開口部
５    商品陳列棚
６    通風路
７    吹出口
８    吸込口
９    ファン
１０    冷却器
１１    風防シート
１２    巻取り軸
１３    巻取りバネ
１４    モータ（駆動部）
１４ａ  モータ軸
１５    ガイドレール
１６    ワイヤ
１７    ワイヤリール
１８    回転式フィルタ
１９    プーリ
２０    プーリ
２１    ベルト
２２    連結機構
２３    ブラシ取付台
２４    ブラシ
２５    ドレン孔
２６    ドレンスクリーン
２７    ウォークインショーケース
２８    ショーケース本体
２９    陳列用ラック（商品陳列部）
３０    保管用ラック
３１    棚板
３２    作業スペース
３３    背面側ドア
３４    開口部
３５    通風路
３６    吹出口
３７    吸込口
３８ａ、３８ｂ  ファン
３９    冷却器
【要約】
【課題】ショーケース内を循環する冷気が商品陳列室外に漏れ出すことを抑制し、冷気を生成するために要する消費エネルギーの低減を図り、店舗内におけるコールドアイルの発生を防止する。
【解決手段】ショーケース本体２の内周に沿って通風路６が形成されている。通風路は、正面側上部に位置して下向きに開口する吹出口７と、正面側下部に位置して上向きに開口する吸込口８とを有する。通風路内には、吸込口から吹出口に向かう空気の流れを発生させるファン９と、通風路内を流れる空気を冷却する冷却器１０とが配置されている。さらに、開口部を開閉する位置に配置され、下端部が水平方向の軸心を有する巻取り軸１２に巻き取られ、上端部が上下方向にスライド可能な巻取り方式の風防シート１１と、ショーケースへの買物客の接近状況等を検出する検出部と、検出部の検出結果に基づいて風防シートを上下方向にスライドさせる駆動部１４とを有する。
【選択図】図１【図１】
0006876852.tif 000002
【図２】
0006876852.tif 000003
【図３】
0006876852.tif 000004
【図４】
0006876852.tif 000005
【図５】
0006876852.tif 000006